(57)【要約】【課題】  機器本体に対するカバー部材の取扱いが容易で、カバー部材が位置ずれせずに、機器本体を良好に覆うことができる防塵カバーの取付構造を提供する。【解決手段】  楽器本体１を覆うカバー部材１３に設けられて、楽器本体１の複数の係止部１５にそれぞれ係脱可能に係止される複数の係合部１４が、カバー部材１３の内面に両端を取り付けた紐状部材１４ａを備えており、係止部１５が、楽器本体１に設けられた取付孔部１６と、この取付孔部１６内に設けられて紐状部材１４ａを係脱可能に係止するフック部１７とを備えている。従って、カバー部材１３で覆われた楽器本体１を演奏する際に、カバー部材１３の一部をめくり上げて楽器本体１の一部を露出させて演奏することができるので、演奏前にカバー部材１３を楽器本体１から取り外したり、また演奏後にカバー部材１３を楽器本体１に掛け直したりする必要がない。【選択図】        図５
2013011653.tif 000002
【特許請求の範囲】
【請求項１】
複数の係止部を有する機器本体と、この機器本体を覆うカバー部材と、このカバー部材に設けられ、且つ前記機器本体の前記複数の係止部にそれぞれ係脱可能に係止される複数の係合部とを備えた防塵カバーの取付構造において、
前記係合部は、前記カバー部材の内面に両端が取り付けられた紐状部材を備えており、
前記係止部は、前記機器本体に設けられた取付孔部と、この取付孔部内に設けられて前記紐状部材を係脱可能に係止するフック部とを備えていることを特徴とする防塵カバーの取付構造。
【請求項２】
請求項１に記載の防塵カバーの取付構造において、前記フック部は、前記カバー部材が前記機器本体を覆った際に前記紐状部材を係止して前記カバー部材が前記機器本体の前側に向けて位置ずれするのを防ぐ第１紐規制部と、前記機器本体を覆った状態の前記カバー部材の一部をめくり上げて前記機器本体の一部を露出させた際に前記紐状部材を係止して前記カバー部材が前記機器本体の後側に向けて位置ずれするのを防ぐ第２紐規制部とを備えていることを特徴とする防塵カバーの取付構造。
【請求項３】
請求項１または請求項２に記載の防塵カバーの取付構造において、前記機器本体は、鍵盤部と、この鍵盤部を開閉可能に覆う鍵盤蓋とを有する鍵盤楽器の楽器本体であり、前記係止部は、前記楽器本体と前記鍵盤蓋とに設けられており、前記係合部は、前記楽器本体の前記係止部と前記鍵盤蓋の前記係止部とに対応する箇所における前記カバー部材の内面にそれぞれ設けられていることを特徴とする防塵カバーの取付構造。
【発明の詳細な説明】
【技術分野】
【０００１】
この発明は、鍵盤楽器やシンセサイザーなどの電子機器に用いられる防塵カバーの取付構造に関する。
【背景技術】
【０００２】
例えば、鍵盤楽器においては、特許文献１に記載されているように、楽器本体を防塵カバーによって開閉可能に覆うことにより、楽器本体に埃などの塵埃が侵入しないように構成されたものが知られている。
【先行技術文献】
【特許文献】
【０００３】
【特許文献１】特開２００３−３０８０７０号公報
【０００４】
この種の防塵カバーは、楽器本体における上面、前面、および背面にこれらを覆って配置されるカバー部材と、このカバー部材の前後に位置する両端部を弾力的に引っ張って連結する伸縮ベルトとを備えている。
【０００５】
この場合、カバー部材には、滑り止め部材が楽器本体の前面と背面とに対応して設けられており、このカバー部材の四隅には、例えば雌型の面状ファスナがそれぞれ設けられている。また、伸縮ベルトの両端部には、カバー部材の雌型の面状ファスナに係脱可能に係合する雄型の面状ファスナがそれぞれ設けられている。
【０００６】
このような防塵カバーを楽器本体に取り付ける場合には、まず、カバー部材を楽器本体の上面、前面、および背面に対応させて配置する。そして、楽器本体の背面側に対応するカバー部材の端部に設けられた雌型の面状ファスナと伸縮ベルトの一端部に設けられた雄型の面状ファスナとを係脱可能に係合させる。
【０００７】
この状態で、伸縮ベルトを楽器本体の前側に引き寄せながら、伸縮ベルトの他端部に設けられた雄型の面状ファスナと、楽器本体の前面に対応するカバー部材の端部に設けられた雌型の面状ファスナと、を係脱可能に係合させる。これにより、カバー部材が楽器本体を覆った状態で楽器本体に取り付けられる。
【発明の概要】
【発明が解決しようとする課題】
【０００８】
しかしながら、このような防塵カバーでは、カバー部材を楽器本体に取り付ける際に、カバー部材を楽器本体に被せ、この状態でカバー部材の四隅に設けられた雌型の面状ファスナと伸縮ベルトの雄型の面状ファスナとをそれぞれ係合させなければならないため、カバー部材の取付作業が面倒で煩雑であるという問題がある。
【０００９】
また、鍵盤楽器を使用するためにカバー部材を楽器本体から取り外す際には、伸縮ベルトの雄型の面状ファスナとカバー部材の雌型の面状ファスナとの係合を解除しなければ、カバー部材を楽器本体から取り外して楽器本体を開放することができないため、取り外し作業も面倒であるという問題がある。
【００１０】
この発明が解決しようとする課題は、機器本体に対するカバー部材の取扱いが容易で、且つカバー部材が位置ずれることなく、機器本体を良好に覆うことができる防塵カバーの取付構造を提供することである。
【課題を解決するための手段】
【００１１】
この発明は、複数の係止部を有する機器本体と、この機器本体を覆うカバー部材と、このカバー部材に設けられ、且つ前記機器本体の前記複数の係止部にそれぞれ係脱可能に係止される複数の係合部とを備えた防塵カバーの取付構造において、前記係合部は、前記カバー部材の内面に両端が取り付けられた紐状部材を備えており、前記係止部は、前記機器本体に設けられた取付孔部と、この取付孔部内に設けられて前記紐状部材を係脱可能に係止するフック部とを備えていることを特徴とする防塵カバーの取付構造である。
【発明の効果】
【００１２】
この発明によれば、カバー部材で覆われた機器本体を使用する際に、カバー部材の一部をめくり上げて機器本体の必要な箇所を露出させて使用することができるので、使用する前にカバー部材を機器本体から取り外したり、また使用後に再びカバー部材を機器本体に掛け直したりする必要がない。
【００１３】
また、カバー部材で機器本体を覆われた際に、機器本体の係止部におけるフック部が機器本体の外部に突出しないため、フック部によって怪我をする恐れがない。このため、機器本体に対するカバー部材の取扱いが容易にでき、且つカバー部材が位置ずれることがなく、このカバー部材によって機器本体を安全に且つ良好に覆うことができる。
【図面の簡単な説明】
【００１４】
【図１】この発明を鍵盤楽器に適用した実施形態１を示した斜視図である。
【図２】図１に示された鍵盤楽器において、防塵カバーを取り外して鍵盤部を鍵盤蓋で覆った状態を示した斜視図である。
【図３】図２に示された鍵盤楽器において、鍵盤蓋を楽器本体内に収納して鍵盤部を露出させた状態を示した斜視図である。
【図４】図１に示された鍵盤楽器において、楽器本体を覆うための防塵カバーを示した斜視図である。
【図５】図１に示された鍵盤楽器において、楽器本体の天板の端面に設けられた係止部にカバー部材の係合部を係止させた状態を示した要部の拡大斜視図である。
【図６】図５に示された係止部を分解して示した要部の拡大斜視図である。
【図７】図６に示された係止部のフック部を示した拡大斜視図である。
【図８】図６に示された係止部が位置する天板のＡ−Ａ矢視における要部の拡大断面図である。
【図９】図１に示された鍵盤楽器において、防塵カバーの一部をめくり上げて鍵盤部を露出させた状態を示した斜視図である。
【図１０】図１に示された鍵盤楽器の実施形態１における係止部の変形例を示した要部の拡大斜視図である。
【図１１】図１０に示された変形例の係止部にカバー部材の紐状部材を係合させて、カバー部材が楽器本体の前側にずれるのを防いでいる状態を示した要部の拡大斜視図である。
【図１２】図１１に示された変形例において、楽器本体を覆ったカバー部材の一部をめくり上げた際に、カバー部材が楽器本体の後側にずれるのを防いでいる状態を示した要部の拡大斜視図である。
【図１３】この発明を鍵盤楽器に適用した実施形態２を示した斜視図である。
【図１４】図１３に示された鍵盤楽器におけるＡ部を示した拡大斜視図である。
【図１５】図１４に示された鍵盤蓋のＢ−Ｂ矢視における要部の拡大断面図である。
【図１６】図１３に示された鍵盤楽器において、カバー部材の前部をめくり上げて、楽器本体内の鍵盤部を露出させた状態を示した斜視図である。
【発明を実施するための形態】
【００１５】
（実施形態１）
以下、図１〜図９を参照して、この発明を鍵盤楽器に適用した実施形態１について説明する。
この鍵盤楽器は、図１に示すように、楽器本体１と、この楽器本体１を覆う防塵カバー２とを備えている。
【００１６】
楽器本体１は、図１〜図３に示すように、脚部を兼ねる一対の側板３と、この一対の側板３間に設けられた底板である棚板４と、この棚板４の前端部に設けられた前板５と、棚板４の後端部に設けられて前板５よりも高さの高い後板（図示せず）と、この後板と一対の側板３との各上部に設けられた天板６と、棚板４の左右両側に設けられた一対の袖板７とを備えている。
【００１７】
この場合、一対の袖板７は、図２および図３に示すように、その前端部が前板５と同じ高さに形成され、後端部が後板と同じ高さ、つまり側板３の後端部の高さと同じ高さに形成され、これにより袖板７の上辺部が前側から後側に向けて次第に高くなるように傾斜して形成されている。また、この一対の袖板７の上部と天板６の前端部との間には、上前板８が設けられている。この上前板８は、天板６の下面から袖板７の上端部に向けて傾斜し、その下部が袖板７の上部に沿って平坦状に形成されている。
【００１８】
これにより、楽器本体１は、図２および図３に示すように、上前板８と前板５との間が上方に開放されたほぼ箱形状に形成されている。この楽器本体１の内部には、図３に示すように、複数の鍵１０ａが並列に配列された鍵盤部１０が上方に開放された状態で設けられている。また、この楽器本体１には、図２に示すように、鍵盤部１０を開閉可能に覆う鍵盤蓋１１がスライド可能に設けられている。さらに、この楽器本体１の上前板８の下部上には、譜面立て１２が起立した状態で設けられている。
【００１９】
一方、防塵カバー２は、図１および図４に示すように、楽器本体１を上方から覆い隠すカバー部材１３と、このカバー部材１３に取り付けられて楽器本体１に対して係脱可能に係止される複数の係合部１４とを備えている。カバー部材１３は、耐静電気性および防水性を有する布やシートであり、図１および図４に示すように、楽器本体１の上面を覆う上面部１３ａと、前板５を覆う前面部１３ｂと、後板（図示せず）を覆う後面部１３ｃと、一対の側板３の上部側を覆う一対の側面部１３ｄとを備えている。
【００２０】
この場合、上面部１３ａは、図１に示すように、楽器本体１の天板６および鍵盤蓋１１を覆うように形成されており、この上面部１３ａには、譜面立て１２を覆う袋状の譜面カバー部１３ｅが設けられている。これにより、カバー部材１３は、楽器本体１の上方から被せることにより、楽器本体１を覆うように構成されている。
【００２１】
また、複数の係合部１４は、図１および図４に示すように、楽器本体１の天板６の両端部に位置する箇所におけるカバー部材１３の内面にそれぞれ設けられている。この係合部１４は、図５に示すように、紐状部材１４ａの両端がカバー部材１３の内面に取り付けられた構成になっている。この場合、紐状部材１４ａの一端部である上端部は、天板６の端部に位置するカバー部材１３の上面部１３ａに縫合されており、紐状部材１４ａの他端部である下端部は、側板３の上部に位置するカバー部材１３の側面部１３ｄに縫合されている。
【００２２】
この係合部１４は、図１および図５に示すように、その紐状部材１４ａが楽器本体１の天板６の両端部に設けられた係止部１５に係脱可能に係止されるように構成されている。この係止部１５は、図５〜図８に示すように、天板６の両端面に設けられた取付孔部１６と、この取付孔部１６内に設けられたフック部１７とを備えている。取付孔部１６は、図６および図８に示すように、天板６の両側に位置する端面から楽器本体１内に向けて連続するように形成されている。
【００２３】
すなわち、この取付孔部１６は、図８に示すように、天板６の外端面から側板３の内面よりも内側に位置する箇所までの部分に形成された断面が長方形状をなす角孔１６ａと、この角孔１６ａの内端部から楽器本体１内に位置する天板６の下面に開放されて形成された開口孔１６ｂとを有し、これらが連続して形成されている。これにより、この取付孔部１６は、楽器本体１内の音を楽器本体１の外部に放音する放音孔としての機能を有するように構成されている。
【００２４】
また、フック部１７は、図５〜図７に示すように、取付孔部１６の外端部に取り付けられる枠状部１７ａと、この枠状部１７ａに設けられて係合部１４の紐状部材１４ａを係脱可能に係止する紐規制部１７ｂと備えている。枠状部１７ａは、天板６の両端面に設けられた係合部１４の取付孔部１６の外形とほぼ同じ大きさの長方形状に形成され、取付孔部１６の内周部に設けられた座ぐり部１６ｃ内に配置され、この状態でビス１８によって座ぐり部１６ｃ内に取り付けられている。
【００２５】
紐規制部１７ｂは、図７に示すように、枠状部１７ａの内周部における前部（図７では右側部）から後部（図７では左側部）に向けて突出して設けられている。すなわち、この紐規制部１７ｂは、枠状部１７ａの前部における中間部から枠状部１７ａの前後方向におけるほぼ中間部に亘って設けられている。これにより、紐規制部１７ｂは、図１に示すようにカバー部材１３が楽器本体１を覆った際に、図５に示すように、紐状部材１４ａを係止することにより、カバー部材１３が楽器本体１の前側（図５では右側）に位置ずれして滑り落ちないように構成されている。
【００２６】
次に、このような防塵カバー２の作用について説明する。
まず、この防塵カバー２を楽器本体１に取り付ける場合には、図１に示すように、防塵カバー２のカバー部材１３を楽器本体１にその上方から被せると共に、図５に示すように、カバー部材１３の係合部１４を楽器本体１の係止部１５に係合させる。
【００２７】
すなわち、カバー部材１３を楽器本体１に被せる際には、図１に示すように、カバー部材１３の上面部１３ａを楽器本体１の天板６上および鍵盤蓋１１上に配置し、前面部１３ｂを前板５の前面に配置し、後面部１３ｃを後板の後面に配置し、一対の側面部１３ｄを一対の側板３の上部における外側面に配置する。このとき、上面部１３ａに設けられた袋状の譜面カバー部１３ｅを譜面立て１２に被せる。これにより、カバー部材１３は、楽器本体１の上部側にこれを覆った状態で配置される。
【００２８】
また、このときには、図５に示すように、カバー部材１３に設けられた係合部１４の紐状部材１４ａを、楽器本体１の天板６の両端面に設けられた係止部１５のフック部１７に引っ掛けて係止させる。すなわち、係合部１４の紐状部材１４ａを係止部１５のフック部１７に係止させる際には、紐状部材１４ａの中間部をフック部１７の枠状部１７ａ内に挿入させ、この挿入した紐状部材１４ａの中間部を前側（図５では右側）に移動させる。
【００２９】
すると、図５に示すように、紐状部材１４ａの中間部が紐規制部１７ｂの奥側、つまり取付孔部１６の内部側に配置されると共に、紐状部材１４ａの上下の両端部が枠状部１７ａの上下の各辺部における外側（図５では表面側）に配置される。これにより、カバー部材１３に設けられた係合部１４の紐状部材１４ａが楽器本体１の天板６に設けられた係止部１５のフック部１７に引っ掛けられる。
【００３０】
この状態では、カバー部材１３が楽器本体１に対して位置ずれすることなく、楽器本体１にこれを覆った状態で取り付けられる。また、このときには、楽器本体１の天板６の両端面に設けられた係止部１５のフック部１７が取付孔部１６内の座ぐり部１６ｃ内に取り付けられており、このフック部１７にカバー部材１３の紐状部材１４ａが係止されている。これにより、紐状部材１４ａおよびフック部１７が楽器本体１の外面からほとんど突出することがない。このため、係止部１５のフック部１７および係合部１４の紐状部材１４ａによって使用者が怪我をする恐れがない。
【００３１】
また、この防塵カバー２を楽器本体１から取り外す場合には、カバー部材１３のスカート部分である前面部１３ｂ、後面部１３ｃ、両側の側面部１３ｄを楽器本体１の上側にめくり上げ、この状態でカバー部材１３の紐状部材１４ａを楽器本体１のフック部１７から取り外す。このときには、図５に示すように、紐状部材１４ａをフック部１７の紐規制部１７ｂに沿って後方（図５では左側）に移動させるだけで、簡単に紐状部材１４ａをフック部１７の紐規制部１７ｂから取り外すことができる。これにより、防塵カバー２を楽器本体１から容易に取り外すことができる。
【００３２】
このように、カバー部材１３を楽器本体１から取り外した状態では、鍵盤蓋１１が露出するので、この露出した鍵盤蓋１１を楽器本体１の後方に向けてスライドさせて天板６の下側に収納する。これにより、鍵盤部１０が露出し、この露出した鍵盤部１０の各鍵１０ａを押鍵操作して演奏することができる。このときには、楽器本体１の天板６の両端部に設けられた係止部１５の取付孔部１６が楽器本体１内に連続しているので、この取付孔部１６が放音孔として機能し、楽器本体１内の音を楽器本体１の外部に放音させることができる。
【００３３】
ところで、防塵カバー２を楽器本体１から完全に取り外すことなく、楽器本体１の鍵盤部１０を露出させて演奏する場合には、図９に示すように、カバー部材１３の前面部１３ｂおよび鍵盤蓋１１に対応する箇所の上面部１３ａをめくり上げると共に、カバー部材１３の譜面カバー部１３ｅを譜面立て１２からめくり上げる。そして、このめくり上げたカバー部材１３の上面部１３ａ、前面部１３ｂ、および譜面カバー部１３ｅを譜面立て１２の後部側に配置する。
【００３４】
すると、図９に示すように、楽器本体１の鍵盤部１０に対応する鍵盤蓋１１、前板５、および一対の袖板７の前側に位置する部分が露出する。この状態で、露出した鍵盤蓋１１を楽器本体１の後方に向けてスライドさせて天板６の下側に収納すると、鍵盤部１０が露出する。このため、防塵カバー２を楽器本体１から完全に取り外さなくても、露出した鍵盤部１０の各鍵１０ａを押鍵操作して演奏することができる。
【００３５】
このときには、カバー部材１３に設けられた係合部１４の紐状部材１４ａが、楽器本体１の天板６の両端面に設けられた係止部１５のフック部１７にそれぞれ係止されていると共に、めくり上げた部分のカバー部材１３が譜面立て１２の後部側に位置して係止されている。このため、演奏中にカバー部材１３が楽器本体１の後部側に位置ずれして滑り落ちることがないばかりか、カバー部材１３が楽器本体１の前部側に位置ずれして滑り落ちることがない。これにより、鍵盤部１０の各鍵１０ａを押鍵操作して良好に演奏することができる。
【００３６】
このように、この防塵カバー２の取付構造によれば、楽器本体１を覆うカバー部材１３に設けられて、楽器本体１の複数の係止部１５にそれぞれ係脱可能に係止される複数の係合部１４が、紐状部材１４ａの両端をカバー部材１３に取り付けた構成であり、係止部１５が、楽器本体１に設けられた取付孔部１６と、この取付孔部１６内に設けられて紐状部材１４ａを係脱可能に係止するフック部１７とを備えているので、楽器本体１に対するカバー部材１３の取扱いが容易にでき、且つカバー部材１３が楽器本体１に対して位置ずれすることなく、このカバー部材１３によって楽器本体１を安全に且つ良好に覆うことができる。
【００３７】
すなわち、この防塵カバー２の取付構造では、カバー部材１３を楽器本体１に取り付けた状態で、カバー部材１３の前部側である一部をめくり上げることにより、楽器本体１の鍵盤部１０である一部を露出させることができるので、カバー部材１３を楽器本体１から完全に取り外さなくても、演奏に必要な最小限の部分のみを露出させることができ、これにより鍵盤部１０を露出させて良好に演奏することができる。
【００３８】
このため、この防塵カバー２の取付構造では、演奏する前にカバー部材１３を楽器本体１から取り外したり、また演奏後に再びカバー部材１３を楽器本体１に掛け直したりする必要がないので、カバー部材１３に手間が掛からず、楽器本体１に対するカバー部材１３の取扱いが簡単で容易である。しかも、カバー部材１３を楽器本体１から取り外す必要がないため、カバー部材１３の置き場所に困ることがなく、カバー部材１３の保管場所を心配する必要がない。
【００３９】
この場合、カバー部材１３の係合部１４である紐状部材１４ａが楽器本体１の係止部１５におけるフック部１７に係止されているので、カバー部材１３の一部である前部側をめくり上げて、楽器本体１の鍵盤部１０である一部を露出させた状態で、鍵盤部１０を露出させて演奏しても、その演奏中にカバー部材１３が位置ずれして楽器本体１から滑り落ちないように、カバー部材１３を楽器本体１に対して取り付けておくことができる。
【００４０】
また、この防塵カバー２の取付構造では、カバー部材１３を楽器本体１に取り付ける際に、カバー部材１３を楽器本体１に被せると共に、カバー部材１３の係合部１４である紐状部材１４ａを楽器本体１の係止部１５におけるフック部１７に係止させるだけで、簡単に取り付けることができる。このため、カバー部材１３の前部側である一部をめくり上げて演奏している場合でも、また演奏していない場合でも、カバー部材１３が楽器本体１から滑り落ちないようにすることができる。
【００４１】
また、カバー部材１３を楽器本体１から取り外す際には、カバー部材１３を楽器本体１から取り外すと共に、カバー部材１３の紐状部材１４ａを楽器本体１のフック部１７から取り外すだけで、簡単にカバー部材１３を楽器本体１から取り外すことができる。このように、楽器本体１に対するカバー部材１３の着脱作業性が良いので、カバー部材１３を楽器本体１に取り付けた際に、カバー部材１３が楽器本体１に対して位置ずれせずに、楽器本体１を安全に且つ良好に覆うことができると共に、カバー部材１３を簡単に取り外すことができる。
【００４２】
この場合、カバー部材１３の係合部１４は、紐状部材１４ａの両端がカバー部材１３に縫合により取り付けた構成であるから、その構造が簡単で、容易に製作することができ、また楽器本体１の係止部１５は、楽器本体１に設けられた取付孔部１６と、この取付孔部１６に設けられたフック部１７とを備え、このフック部１７が紐状部材１４ａを係脱可能に係止する構成であるから、このフック部１７によって係合部１４の紐状部材１４ａを簡単に且つ容易に係止することができる。
【００４３】
また、フック部１７は、取付孔部１６の外端部に取り付けられる枠状部１７ａと、この枠状部１７ａに設けられて係合部１４の紐状部材１４ａを係脱可能に係止する紐規制部１７ｂと備え、枠状部１７ａが取付孔部１６の内周部に設けられた座ぐり部１６ｃ内に配置された状態で取り付けられているので、フック部１７が楽器本体１の外部に突出することがなく、このフック部１７によって使用者が怪我をする恐れなく、安全性の高いものを提供することができる。
【００４４】
また、このフック部１７の紐規制部１７ｂは、枠状部１７ａの内周部における前部の中間部から枠状部１７ａの前後方向におけるほぼ中間部に亘って設けられていることにより、紐状部材１４ａを簡単に且つ容易に係脱可能に係止することができるほか、カバー部材１３が楽器本体１を覆った状態で紐状部材１４ａが係止した際に、カバー部材１３が楽器本体１の前側に位置ずれして滑り落ちるのを確実に防ぐことができる。
【００４５】
さらに、フック部１７の取付孔部１６は、楽器本体１における天板６の端面から側板３の内面よりも内側に位置する箇所までの部分に形成された断面が長方形状をなす角孔１６ａと、この角孔１６ａの内端部から楽器本体１内に位置する天板６の下面に開放されて形成された開口孔１６ｂとを有し、これらが連続して形成されているので、この取付孔部１６が放音孔として機能し、楽器本体１内の音を楽器本体１の外部に良好に放音させることができる。
【００４６】
なお、上述した実施形態１では、フック部１７が取付孔部１６の外端部に取り付けられる枠状部１７ａと、この枠状部１７ａに設けられて係合部１４の紐状部材１４ａを係脱可能に係止する紐規制部１７ｂと備えた構成である場合について述べたが、これに限らず、例えば図１０〜図１２に示す変形例のように、フック部２０を形成した構成であっても良い。すなわち、このフック部２０は、図１０に示すように、枠状部２１と、紐規制部２２とを備えている。
【００４７】
この場合、紐規制部２２は、図１１および図１２に示すように、カバー部材１３が楽器本体１を覆った際に紐状部材１４ａを係止してカバー部材１３が楽器本体１の前側（図１１では右側）に向けて位置ずれするのを防ぐ第１紐規制部２２ａと、楽器本体１を覆った状態のカバー部材１３の一部をめくり上げて、楽器本体１の一部である前部側の鍵盤部１０を露出させた際に紐状部材１４ａを係止してカバー部材１３が楽器本体１の後側に向けて位置ずれするのを防ぐ第２紐規制部２２ｂとを備えている。
【００４８】
この場合、第１紐規制部２２ａは、実施形態１の紐規制部１７ｂに相当するものであり、図１０に示すように、枠状部２１の内周部における前部（図１０では右側部）の中間部から枠状部２１の前後方向におけるほぼ中間部に亘って設けられている。これにより、第１紐規制部２２ａは、カバー部材１３が楽器本体１を覆った際に、図１１に示すように、紐状部材１４ａを係止して、カバー部材１３が楽器本体１の前側（図１１では右側）に向けて位置ずれして、楽器本体１の前側に滑り落ちないように構成されている。
【００４９】
また、第２紐規制部２２ｂは、図１０に示すように、第１紐規制部２２ａの後端部（図１０では左端部）に上側に向けて突出して設けられた突起部である。この第２紐規制部２２ｂは、カバー部材１３が楽器本体１を覆った状態で、図１２に示すように、カバー部材１３が楽器本体１の後側（図１２では左側）にずれた際に、紐状部材１４ａを係止して、カバー部材１３が楽器本体１の後側に向けて位置ずれして、楽器本体１の後方に滑り落ちるのを防ぐように構成されている。
【００５０】
このようなフック部２０によれば、実施形態１と同様、第１紐規制部２２ａが枠状部２１の内周部における前部の中間部から枠状部２１の前後方向におけるほぼ中間部に亘って設けられていることにより、図１１に示すように、紐状部材１４ａを簡単に且つ容易に係止することができるほか、カバー部材１３が楽器本体１を覆った状態で第１紐規制部２２ａが紐状部材１４ａを係止した際に、カバー部材１３が楽器本体１の前側に位置ずれして滑り落ちるのを確実に防ぐことができる。
【００５１】
また、このフック部２０は、図１２に示すように、第２紐規制部２２ｂが第１紐規制部２２ａの後端部（図１２では左端部）に上側に向けて突出して設けられていることにより、カバー部材１３が楽器本体１を覆った状態で、図９に示したように、カバー部材１３をめくり上げて楽器本体１の鍵盤蓋１１を露出させた際に、カバー部材１３が楽器本体１の後側（図１２では左側）にずれても、紐状部材１４ａを第２紐規制部２２ｂによって係止することができ、これによりカバー部材１３が楽器本体１の後方に滑り落ちるのを確実に防ぐことができる。
【００５２】
（実施形態２）
次に、図１３〜図１６を参照して、この発明を鍵盤楽器に適用した実施形態２について説明する。なお、図１〜図９に示された実施形態１と同一部分には同一符号を付して説明する。
この鍵盤楽器は、図１３および図１４に示すように、鍵盤蓋１１に対応する箇所のカバー部材１３にも係合部２５を設けると共に、鍵盤蓋１１に係止部２６を設けた構成であり、これ以外は実施形態１とほぼ同じ構成になっている。
【００５３】
この場合、楽器本体１の天板６の両端部に位置する箇所におけるカバー部材１３の内面には、実施形態１と同様、係合部１４がそれぞれ設けられている。この係合部１４は、図５に示したように、紐状部材１４ａの両端をカバー部材１３の内面に取り付けた構成になっている。
【００５４】
また、楽器本体１の天板６の両端部には、実施形態１と同様、係合部１４を係脱可能に係止する係止部１５がそれぞれ設けられている。この係止部１５は、図６〜図８に示したように、天板６の両端面に設けられた取付孔部１６と、この取付孔部１６内に設けられたフック部１７とを備えている。
【００５５】
一方、楽器本体１の鍵盤蓋１１の前端に位置する箇所におけるカバー部材１３の内面には、図１３および図１４に示すように、係合部２５がそれぞれ設けられている。この係合部２５は、実施形態１と同様、紐状部材２５ａの両端をカバー部材１３の内面に取り付けた構成になっている。
【００５６】
この場合、紐状部材２５ａは、図１３および図１４に示すように、鍵盤部１０における鍵１０ａの配列方向である左右方向に位置する両端部が、鍵盤蓋１１の前端に位置する上面の両側に対応する箇所のカバー部材１３の上面部１３ａにおける内面にそれぞれ縫合されている。
【００５７】
また、楽器本体１の鍵盤蓋１１の前端に位置する上面には、図１３および図１４に示すように、係合部２５の紐状部材２５ａを係脱可能に係止する係止部２６がそれぞれ設けられている。この係止部２６は、図１４および図１５に示したように、鍵盤蓋１１の前端における上面の両側にそれぞれ設けられた取付孔部２７と、この取付孔部２７内にそれぞれ設けられたフック部２８とを備えている。取付孔部２７は、図１５に示すように、鍵盤蓋１１の両側に位置する箇所において、その上面から下面に貫通して形成されている。
【００５８】
フック部２８は、実施形態１と同様、取付孔部２７の外端部に取り付けられる枠状部２８ａと、この枠状部２８ａに設けられて係合部２５の紐状部材２５ａを係脱可能に係止する紐規制部２８ｂとを備えている。枠状部２８ａは、図１４および図１５に示すように、鍵盤蓋１１の前端における上面の両側に設けられた係止部２６の取付孔部２７の外形とほぼ同じ大きさの長方形状に形成され、取付孔部２７の内周部に設けられた座ぐり部２７ａ内に配置され、この状態でビス１８によって座ぐり部２７ａ内に取り付けられている。
【００５９】
紐規制部２８ｂは、図１４に示すように、枠状部２８ａの内周部における前部（図１４では右側部）から後部（図１４では左側部）に向けて突出して設けられている。すなわち、この紐規制部２８ｂは、枠状部２８ａの前部における中間部から枠状部２８ａの前後方向におけるほぼ中間部に亘って設けられている。これにより、紐規制部２８ｂは、図１３に示すようにカバー部材１３が楽器本体１を覆った際に、図１４に示すように、紐状部材２５ａを係止して、カバー部材１３が楽器本体１に対して位置ずれしないように構成されている。
【００６０】
次に、このような実施形態２の防塵カバー２の作用について説明する。
まず、この防塵カバー２を楽器本体１に取り付ける場合には、図１３に示すように、防塵カバー２のカバー部材１３を楽器本体１にその上方から被せると共に、図５および図１４に示すように、カバー部材１３の係合部１４、２５を楽器本体１の係止部１５、２６にそれぞれ係合させる。
【００６１】
すなわち、カバー部材１３を楽器本体１に被せる際には、図１３に示すように、カバー部材１３の上面部１３ａを楽器本体１の天板６上および鍵盤蓋１１上に配置し、前面部１３ｂを前板５の前面に配置し、後面部１３ｃを後板６の後面に配置し、一対の側面部１３ｄを一対の側板３の上部における外側面に配置する。このとき、上面部１３ａに設けられた袋状の譜面カバー部１３ｅも譜面立て１２に被せる。これにより、カバー部材１３は、楽器本体１の上部側にこれを覆って配置される。
【００６２】
また、このときには、実施形態１と同様、カバー部材１３の後部側に設けられた係合部１４の紐状部材１４ａを、楽器本体１の天板６の両端面に設けられた係止部１５のフック部１７に引っ掛けて係止させると共に、図１４に示すように、カバー部材１３の前部側に設けられた係合部２５の紐状部材２５ａを、楽器本体１の鍵盤蓋１１の前端における上面の両側に設けられた係止部２６のフック部２８に引っ掛けて係止させる。
【００６３】
すなわち、カバー部材１３の後部側に設けられた係合部１４の紐状部材１４ａを係止部１５のフック部１７に係止させる際には、実施形態１と同様、紐状部材１４ａの中間部をフック部１７の枠状部１７ａ内に挿入させ、この挿入した紐状部材１４ａの中間部を前側（図５では右側）に移動させる。
【００６４】
すると、実施形態１と同様、紐状部材１４ａの中間部が紐規制部１７ｂの奥側、つまり取付孔部１６側に配置されると共に、紐状部材１４ａの上下の両端部が枠状部１７ａの上下の各辺部における外側（図５では表面側）に配置される。これにより、カバー部材１３に設けられた係合部１４の紐状部材１４ａが楽器本体１の天板６に設けられた係止部１５のフック部１７に引っ掛けられる。
【００６５】
また、カバー部材１３の前部側に設けられた係合部２５の紐状部材２５ａを係止部２６のフック部２８に係止させる際には、図１４に示すように、紐状部材２５ａの中間部をフック部２８の枠状部２８ａ内に挿入させ、この挿入した紐状部材２５ａの中間部を前側（図１４では右斜め前側）に移動させる。
【００６６】
すると、図１４に示すように、紐状部材２５ａの中間部が紐規制部２８ｂの下側、つまり取付孔部２７の内部側に配置されると共に、紐状部材２５ａの上下の両端部が枠状部２８ａの上下の各辺部における外側（図１４では上面側）に配置される。これにより、カバー部材１３に設けられた係合部２５の紐状部材２５ａが、楽器本体１の鍵盤蓋１１に設けられた係止部２６のフック部２８に引っ掛けられる。
【００６７】
この状態では、カバー部材１３が楽器本体１に対して位置ずれすることなく、楽器本体１にこれを覆って取り付けられる。また、このときには、カバー部材１３の後部側に位置する紐状部材１４ａおよび天板６の両側面に設けられたフック部１７が楽器本体１の外面からほとんど突出することがない。
【００６８】
同様に、カバー部材１３の前部側に位置する紐状部材２５ａおよび鍵盤蓋１１の前端における上面に設けられたフック部２８も、鍵盤蓋１１の上面からほとんど突出することがない。このため、各係止部１５、２６の各フック部１７、２８および各係合部１４、２５の各紐状部材１４ａ、２５ａによって使用者が怪我をする恐れがない。
【００６９】
また、この防塵カバー２を楽器本体１から取り外す場合には、カバー部材１３の前面部１３ｂを鍵盤蓋１１上にめくり上げ、この状態でカバー部材１３の前側に位置する係合部２５の紐状部材２５ａを鍵盤蓋１１のフック部２８から取り外す。このときには、図１４に示すように、紐状部材２５ａをフック部２８の紐規制部２８ｂに沿って鍵盤蓋１１の後方（図１４では左側）に移動させるだけで、簡単に紐状部材２５ａをフック部２８の紐規制部２８ｂから取り外すことができる。
【００７０】
この後、カバー部材１３を楽器本体１の上方にめくり上げ、この状態でカバー部材１３の後部側に位置する紐状部材１４ａを楽器本体１の天板６に設けられたフック部１７から取り外す。このときには、実施形態１と同様、紐状部材１４ａをフック部１７の紐規制部１７ｂに沿って後方（図５では左側）に移動させるだけで、簡単に紐状部材１４ａをフック部１７の紐規制部１７ｂから取り外すことができる。これにより、防塵カバー２を楽器本体１から簡単に且つ容易に取り外すことができる。
【００７１】
このように、カバー部材１３を楽器本体１から取り外した状態では、実施形態１と同様、鍵盤蓋１１を楽器本体１の後方に向けてスライドさせて天板６の下側に収納することにより、鍵盤部１０を露出させ、この露出した鍵盤部１０の各鍵１０ａを押鍵操作して演奏することができる。このときにも、楽器本体１の天板６の両端部に設けられた係止部１５の取付孔部１６が楽器本体１内に連続しているので、この取付孔部１６が放音孔として機能し、楽器本体１内の音を楽器本体１の外部に放音させることができる。
【００７２】
ところで、防塵カバー２を楽器本体１から完全に取り外すことなく、楽器本体１の鍵盤部１０を露出させて演奏する場合には、図１６に示すように、カバー部材１３の前面部１３ｂを鍵盤蓋１１上にめくり上げ、この状態で鍵盤蓋１１をスライドさせて天板６の下側に収納する。このときには、カバー部材３の前部側に設けられた係合部２５の紐状部材２５ａが、鍵盤蓋１１の係止部２６のフック部２８に係止されていることにより、カバー部材１３の前部側が鍵盤蓋１１のスライド動作と共に移動する。
【００７３】
これにより、鍵盤蓋１１をスライドさせて楽器本体１の天板６の下側に移動させて収納するだけで、図１６に示すように、カバー部材１３を自動的にめくり上げながら鍵盤部１０の後部側に移動させ、楽器本体１内に設けられた鍵盤部１０を露出させることができる。このため、防塵カバー２を楽器本体１から完全に取り外さなくても、露出した鍵盤部１０の各鍵１０ａを押鍵操作して良好に演奏することができる。
【００７４】
このときには、カバー部材１３の後部側に設けられた係合部１４の紐状部材１４ａが、楽器本体１の天板６に設けられた係止部１５のフック部１７に係止されていると共に、カバー部材１３の前部側に設けられた係合部２５の紐状部材２５ａが、鍵盤蓋１１の上面に設けられた係止部２６のフック部２８に係止されているので、演奏中にカバー部材１３が位置ずれすることがない。
【００７５】
すなわち、カバー部材１３の後部側に位置する紐状部材１４ａが楽器本体１の天板６に設けられたフック部１７に係止されているので、カバー部材１３が楽器本体１の後方に位置ずれして滑り落ちることがなく、またカバー部材１３の前部側に位置する紐状部材２５ａが鍵盤蓋１１の上面に設けられたフック部２８に係止されているので、カバー部材１３が楽器本体１の前方に位置ずれして滑り落ちることがない。このため、演奏中にカバー部材１３が位置ずれすることがないので、鍵盤部１０の各鍵１０ａを押鍵操作して良好に演奏することができる。
【００７６】
また、演奏をしない場合には、鍵盤蓋１１を楽器本体１内から引き出し、この引き出された鍵盤蓋１１で鍵盤部１０を覆うと、鍵盤蓋１１の引き出し動作に連動してカバー部材１３の一部が引き出されて鍵盤蓋１１および楽器本体１の前板５を覆う。このため、カバー部材１３の取り扱いが容易で、鍵盤蓋１１に対するカバー部材１３の掛け忘れがなく、確実に且つ良好にカバー部材１３を鍵盤蓋１１上に掛けることができる。
【００７７】
なお、鍵盤蓋１１を楽器本体１の天板６の下側に収納し、この状態で鍵盤部１０を露出させて演奏する際に、譜面立て１２に譜面を立て掛けて演奏する場合には、鍵盤蓋１１と共にめくり上げられたカバー部材１３の譜面カバー部１３ｅを譜面立て１２から更にめくり上げる。そして、このめくり上げたカバー部材１３の上面部１３ａ、前面部１３ｂ、および譜面カバー部１３ｅを譜面立て１２の後部側に配置する。
【００７８】
このときには、カバー部材１３の前部側に設けられた係合部２５の紐状部材２５ａが、鍵盤蓋１１の上面に設けられた係止部２６のフック部２８に係止されていても、カバー部材１３の譜面カバー部１３ｅを譜面立て１２からめくり上げることができる。また、このめくり上げた部分のカバー部材１３を譜面立て１２の後部側に位置して係止させることができる。これにより、より一層、演奏中にカバー部材１３が位置ずれするのを防ぐことができるので、鍵盤部１０の各鍵１０ａを押鍵操作して良好に演奏することができる。
【００７９】
このように、この防塵カバー２の取付構造によれば、実施形態１と同様の作用効果があるほか、楽器本体１と鍵盤蓋１１とにそれぞれ係止部１５、２６が設けられていると共に、楽器本体１の係止部１５と鍵盤蓋１１の係止部２６とに対応する箇所におけるカバー部材１３にそれぞれ係合部１４、２５が設けられていることにより、防塵カバー２を楽器本体１から完全に取り外さなくても、鍵盤部１０を露出させることができ、この露出した鍵盤部１０の各鍵１０ａを押鍵操作して良好に演奏することができる。
【００８０】
すなわち、この防塵カバー２の取付構造では、カバー部材１３の前部側に設けられた係合部２５の紐状部材２５ａが鍵盤蓋１１の前端における上面の両側に設けられた係止部２６のフック部２８に係止されているので、鍵盤蓋１１をスライドさせて楽器本体１の天板６の下側に移動させて収納するだけで、カバー部材１３を鍵盤蓋１１と共に自動的にめくり上げて、楽器本体１内に設けられた鍵盤部７を露出させることができる。
【００８１】
このため、カバー部材１３を鍵盤蓋１１のスライド動作に連動させてめくり上げることができるので、カバー部材１３の取り扱いが簡単で容易であるほか、防塵カバー２を楽器本体１から完全に取り外さなくても、鍵盤蓋１１をスライドさせて楽器本体１に収納するだけで、鍵盤部１０を露出させ、この露出した鍵盤部１０の各鍵１０ａを押鍵操作して良好に演奏することができる。
【００８２】
この場合、楽器本体１をカバー部材１３で覆った際に、カバー部材１３の後部側に設けられた係合部１４の紐状部材１４ａを、楽器本体１の天板６の両端面に設けられた係止部１５のフック部１７に引っ掛けて係止させると共に、カバー部材１３の前部側に設けられた係合部２５の紐状部材２５ａを、楽器本体１の鍵盤蓋１１の前端における上面の両側に設けられた係止部２６のフック部２８に引っ掛けて係止させることにより、カバー部材１３の一部をめくり上げて、楽器本体１の一部である鍵盤部１０を露出させた状態でも、カバー部材１３が楽器本体１に対して位置ずれするのを確実に且つ良好に防ぐことができる。
【００８３】
なお、上述した実施形態２では、フック部１７、２８が取付孔部１６、２７の外端部に取り付けられる枠状部１７ａ、２８ａと、この枠状部１７ａ、２８ａに設けられて係合部１４、２５の紐状部材１４ａ、２５ａを係脱可能に係止する紐規制部１７ｂ、２８ｂと備えた構成である場合について述べたが、これに限らず、例えば図１０〜図１２に示した変形例のフック部２０のように、第１、第２の各紐規制部２２ａ、２２ｂを備えた構成しても良い。
【００８４】
すなわち、この変形例におけるフック部２０の第１紐規制部２２ａは、カバー部材１３が楽器本体１を覆った際に紐状部材１４ａ、２５ａを係止してカバー部材１３が楽器本体１の前側（図１０では右側）に向けて位置ずれするのを防ぐように構成されていれば良い。また、第２紐規制部２２ｂは、楽器本体１を覆った状態のカバー部材１３を開いて楽器本体１の一部である前部側を露出させた際に紐状部材１４ａ、２５ａを係止してカバー部材１３が楽器本体１の後側に向けて位置ずれするのを防ぐように構成されていれば良い。
【００８５】
また、上述した実施形態１、２およびその各変形例では、鍵盤楽器に適用した場合について述べたが、必ずしも鍵盤楽器である必要はなく、例えばシンセサイザーなどの電子楽器や音響機器など、埃を嫌う各種の電子機器に広く適用することができる。
【００８６】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８７】
（付記）
請求項１に記載の発明は、複数の係止部を有する機器本体と、この機器本体を覆うカバー部材と、このカバー部材に設けられ、且つ前記機器本体の前記複数の係止部にそれぞれ係脱可能に係止される複数の係合部とを備えた防塵カバーの取付構造において、
前記係合部は、前記カバー部材の内面に両端が取り付けられた紐状部材を備えており、前記係止部は、前記機器本体に設けられた取付孔部と、この取付孔部内に設けられて前記紐状部材を係脱可能に係止するフック部とを備えていることを特徴とする防塵カバーの取付構造である。
【００８８】
請求項２に記載の発明は、請求項１に記載の防塵カバーの取付構造において、前記フック部は、前記カバー部材が前記機器本体を覆った際に前記紐状部材を係止して前記カバー部材が前記機器本体の前側に向けて位置ずれするのを防ぐ第１紐規制部と、前記機器本体を覆った状態の前記カバー部材の一部をめくり上げて前記機器本体の一部を露出させた際に前記紐状部材を係止して前記カバー部材が前記機器本体の後側に向けて位置ずれするのを防ぐ第２紐規制部とを備えていることを特徴とする防塵カバーの取付構造である。
【００８９】
請求項３に記載の発明は、請求項１または請求項２に記載の防塵カバーの取付構造において、前記機器本体は、鍵盤部と、この鍵盤部を開閉可能に覆う鍵盤蓋とを有する鍵盤楽器の楽器本体であり、前記係止部は、前記楽器本体と前記鍵盤蓋とに設けられており、前記係合部は、前記楽器本体の前記係止部と前記鍵盤蓋の前記係止部とに対応する箇所における前記カバー部材の内面にそれぞれ設けられていることを特徴とする防塵カバーの取付構造である。
【符号の説明】
【００９０】
１  楽器本体
２  防塵カバー
１０  鍵盤部
１１  鍵盤蓋
１３  カバー部材
１４、２５  係合部
１４ａ、２５ａ  紐状部材
１５、２６  係止部
１６、２７  取付孔部
１７、２０、２８  フック部
１７ａ、２１、２８ａ  枠状部
１７ｂ、２２、２８ｂ  紐規制部
２２ａ  第１紐規制部
２２ｂ  第２紐規制部
【図１】
2013011653.tif 000003
【図２】
2013011653.tif 000004
【図３】
2013011653.tif 000005
【図４】
2013011653.tif 000006
【図５】
2013011653.tif 000007
【図６】
2013011653.tif 000008
【図７】
2013011653.tif 000009
【図８】
2013011653.tif 000010
【図９】
2013011653.tif 000011
【図１０】
2013011653.tif 000012
【図１１】
2013011653.tif 000013
【図１２】
2013011653.tif 000014
【図１３】
2013011653.tif 000015
【図１４】
2013011653.tif 000016
【図１５】
2013011653.tif 000017
【図１６】
2013011653.tif 000018